(57)【要約】【課題】  各種制御信号のモニタ機能を有するＰＣツールを有していない携帯通信端末では、現在、携帯通信端末内で、どのような現象が発生しているのかを知ることができないため、大容量データをダウンロードする際、ユーザにストレスがかかることがある。【解決手段】  携帯通信端末内のＣＰＵは、ステップＳ１でチャネル及び伝送レートが変更されたと判定した時は、取得したチャネル情報が報知チャネル、呼出チャネル、共通チャネル、個別チャネルのいずれであるかに応じて、ＬＥＤ通知部の点滅パターン及び色を制御する。ＬＥＤ通知部は着信報知のために点灯／点滅するＬＥＤからなる既存の着信通知部であり、これを利用して現在のチャネル情報又は伝送レートを発光色と点灯又は点滅パターンの組み合わせによりユーザに通知する。これにより、大容量データをダウンロードする場所の通信環境が分かり、通信環境が良好な場所でのダウンロードが可能となる。【選択図】            図２
2006295383.tif 000002
【特許請求の範囲】
【請求項１】
通信ネットワークを介して他の通信端末との間で通信する機能を有する携帯通信端末において、
通信中又は通信中以外の状態でのチャネルの情報を、該チャネルの遷移時に取得して更新する取得手段と、
前記取得手段で取得及び更新した前記チャネルの情報に応じて、予め定めた点灯又は点滅パターンと表示色との組み合わせにより、該取得及び更新したチャネルの情報を通知する通知手段と
を有することを特徴とする携帯通信端末。
【請求項２】
前記取得手段は通信中のチャネルの遷移時に、そのチャネルの伝送レートを取得して更新し、前記通知手段は取得及び更新した前記伝送レートに応じて、予め定めた点灯又は点滅パターンと表示色との組み合わせにより、該取得及び更新した伝送レートを通知することを特徴とする請求項１記載の携帯通信端末。
【請求項３】
前記通知手段は、着信の有無を点灯又は点滅にて通知する着信通知手段を利用したことを特徴とする請求項１又は２記載の携帯通信端末。
【請求項４】
前記取得手段は、前記通信中以外のチャネルの情報として、基地局情報を取得中の状態にある報知チャネル、待ち受け中の着信待ち状態にある呼出チャネルの情報を取得する手段であることを特徴とする請求項１乃至３のうちいずれか一項記載の携帯通信端末。
【請求項５】
基地局との間で共用される共通チャネル、及び携帯通信端末毎に個別に割り当てられる個別チャネルを使用するＣＤＭＡ移動体通信システムにおける携帯通信端末であって、前記取得手段は、前記通信中のチャネルの情報として前記共通チャネル及び前記個別チャネルを取得し、前記個別チャネルの遷移時にその個別チャネルの伝送レートを取得することを特徴とする請求項２乃至４のうちいずれか一項記載の携帯通信端末。
【請求項６】
通信ネットワークを介して他の通信端末との間で通信する機能を有する携帯通信端末の通信状態通知方法において、
通信中又は通信中以外の状態でのチャネルの情報を、該チャネルの遷移時に取得して更新する第１のステップと、
前記第１のステップで取得及び更新した前記チャネルの情報に応じて、予め定めた点灯又は点滅パターンと表示色との組み合わせにより、該取得及び更新したチャネルの情報を通知する第２のステップと
を含むことを特徴とする通信状態通知方法。
【請求項７】
前記第１のステップは、通信中のチャネルの遷移時に、そのチャネルの伝送レートを取得して更新し、前記第２のステップは、取得及び更新した前記伝送レートに応じて、予め定めた点灯又は点滅パターンと表示色との組み合わせにより、該取得及び更新した伝送レートを通知することを特徴とする請求項６記載の通信状態通知方法。
【請求項８】
前記第２のステップは、着信の有無を点灯又は点滅にて通知する着信通知手段を利用して前記チャネルの情報又は前記伝送レートを通知することを特徴とする請求項６又は７記載の通信状態通知方法。
【発明の詳細な説明】
【技術分野】
【０００１】
本発明は携帯通信端末及び通信状態通知方法に係り、特に通信ネットワークを介して他の通信端末と通信する機能を有する携帯通信端末、及びその携帯通信端末における現在の通信環境・通信状態を通知する通信状態通知方法に関する。
【背景技術】
【０００２】
無線基地局と移動局である携帯通信端末と、該無線基地局の通信を制御する制御局とを含む移動体通信システムとして、ＣＤＭＡ（Code Division Multiple Access）移動体通信システムが知られている（例えば、特許文献１参照）。このＣＤＭＡ移動体通信システムでは、通信に使用する無線チャネルとして、無線基地局と複数の携帯通信端末との間で共用される共通チャネル、及び携帯通信端末毎に個別に割り当てられる個別チャネルの一方のチャネルをトラヒックの特性に応じて選択使用する。
【０００３】
一方、携帯通信端末の評価業務で、大容量データをダウンロードし、スループットを測定する場合、同じ容量のデータをダウンロードする場合でも、複数の携帯通信端末が基地局網に接続され、トラヒック量が増加した状態や、フェージング、ノイズの付加された通信環境が悪い状態でダウンロードする場合には、スループットが低下し、ダウンロード完了までに大きな時間差が発生する。
【０００４】
すなわち、携帯通信端末を使用して、大容量データをダウンロードする際、通信環境が悪く伝送レートが低い状態で、ダウンロードを実施していると、端末自体に、最高レートが、上り：６４ｋｂｐｓ／下り：３８４ｋｂｐｓの能力があったとしても、いつまでたっても、上り：６４ｋｂｐｓ／６４ｋｂｐｓのまま、最高レートに到達しない場合や、個別チャネルから、共通チャネルに、状態がランクダウンする場合がある。通常、これらの通信状態に関する情報は、ユーザには通知されない。
【０００５】
この状況を、携帯通信端末内の各種制御信号のモニタ機能を有するＰＣツール等を使用し、受信データの誤り率が増加し、正常データの受信率が劣化することを検出するようにした場合は、伝送レートが低下したり、個別チャネルから共通チャネルへの、チャネル遷移が発生している現象を監視することが可能であり、ダウンロードに時間がかかる理由をユーザに通知できる。なお、大容量のダウンロード時は、一般には共通チャネルではなく、個別チャネルを使用し、その中で伝送レートを上げるよう要求することで高レートでの通信を行う。
【０００６】
また、通信状態報知機能を有する携帯通信端末も従来知られている（例えば、特許文献２参照）。この従来の携帯通信端末では、呼出中から通話中に遷移したことを検出する手段と、その検出手段により通話中に遷移したことが検出された時に、その検出結果を表示する表示手段とを備えた構成である。具体的には、基地局からの通話通知信号の検出、又は相手側からの音声を認識する音声認識部の音声認識出力に基づいて、通話中を検出し、液晶表示素子（ＬＣＤ）や発光ダイオード（ＬＥＤ）により通話中検出結果を表示又は点滅等により報知する。
【０００７】
【特許文献１】特開２００４−２８２１６９号公報
【特許文献２】特開平１１−２０５８６３号公報
【発明の開示】
【発明が解決しようとする課題】
【０００８】
しかし、各種制御信号のモニタ機能を有する前記ＰＣツールを有していない携帯通信端末では、現在、携帯通信端末内で、どのような現象が発生しているのかを知ることができないため、大容量データをダウンロードする際、通信状態により伝送レートが低い場所でダウンロードすると、ダウンロード完了までに時間がかかり、ユーザにとってストレスがかかるという問題がある。
【０００９】
一方、前記ＰＣツールを有している携帯通信端末では、通信中の携帯通信端末内の状態は分かるが、待ち受け中の着信待ち状態にある読み出しチャネルの状態は分からず、また、ＰＣツールを別途用意しなければならず、コスト的にも不利である。
【００１０】
また、特許文献２記載の従来の携帯通信端末では、報知する通信状態は、呼出中から通話中に遷移した状態であり、大容量データをダウンロードする場合に、ダウンロードする場所の通信状態が良好であるのか、劣悪であるのかの報知を行うことはできず、このため、通信環境が悪い場所で無駄な接続をしてしまい、ダウンロード完了までに時間がかかり、ユーザにとってストレスがかかるという問題がある。
【００１１】
本発明は以上の点に鑑みなされたもので、ＰＣツールを用いることなく、ユーザに対して、通信環境に関する情報を、視覚的、簡易的にユーザに通知することにより、ユーザが、大容量データのダウンロードにより、時間を費やす際に感じるであろうと思われる、ストレスを軽減させ得る携帯通信端末及び通信状態通知方法を提供することを目的とする。
【００１２】
また、本発明の他の目的は、通信中以外の例えば、待ち受け中の着信待ち状態にある呼び出しチャネルの状態が遷移する場合にも、表示パターンを変化させてユーザに通知する携帯通信端末及び通信状態通知方法を提供することにある。
【課題を解決するための手段】
【００１３】
上記の目的を達成するため、本発明の携帯通信端末は、通信ネットワークを介して他の通信端末との間で通信する機能を有する携帯通信端末において、通信中又は通信中以外の状態でのチャネルの情報を、チャネルの遷移時に取得して更新する取得手段と、取得手段で取得及び更新したチャネルの情報に応じて、予め定めた点灯又は点滅パターンと表示色との組み合わせにより、取得及び更新したチャネルの情報を通知する通知手段とを有することを特徴とする。
【００１４】
この発明では、通信中又は通信中以外の状態でのチャネルの情報を、チャネルの遷移時に取得し、それを予め定めた点灯又は点滅パターンと表示色との組み合わせにより通知するようにしたため、ユーザは点灯又は点滅パターンと表示色との組み合わせにより、現在のチャネルの情報を把握することができる。
【００１５】
また、上記の目的を達成するため、本発明の携帯通信端末は、上記の取得手段は通信中のチャネルの遷移時に、そのチャネルの伝送レートを取得して更新し、通知手段は取得及び更新した伝送レートに応じて、予め定めた点灯又は点滅パターンと表示色との組み合わせにより、取得及び更新した伝送レートを通知することを特徴とする。
【００１６】
この発明では、通信中の伝送レートが点灯又は点滅パターンと表示色との組み合わせによりユーザに通知されるため、ユーザは現在通信中の伝送レートを把握することができ、これにより、ユーザに対して、伝送レートが低い環境下にいることを視覚的に判断させることが可能となる。
【００１７】
また、上記の目的を達成するため、本発明の携帯通信端末は、上記の通知手段として、着信の有無を点灯又は点滅にて通知する着信通知手段を利用したことを特徴とする。この発明では、携帯通信端末に元々存在する既存の着信通知手段を利用しているため、コストアップを最小限にすることができる。
【００１８】
また、上記の目的を達成するため、本発明の携帯通信端末は、上記の取得手段を、通信中以外のチャネルの情報として、基地局情報を取得中の状態にある報知チャネル、待ち受け中の着信待ち状態にある呼出チャネルの情報を取得する手段としたことを特徴とする。この発明では、視覚的な装飾として通信中以外の状態を通知するようにしたため、通信中以外の現在の状態がどのような状態であるかを視覚的に判断することができる。
【００１９】
また、上記の目的を達成するため、本発明の携帯通信端末は、基地局との間で共用される共通チャネル、及び携帯通信端末毎に個別に割り当てられる個別チャネルを使用するＣＤＭＡ移動体通信システムにおける携帯通信端末であって、取得手段は、通信中のチャネルの情報として共通チャネル及び個別チャネルを取得し、個別チャネルの遷移時にその個別チャネルの伝送レートを取得することを特徴とする。この発明では、ＣＤＭＡ移動体通信システムで用いられる携帯通信端末の通信中の状態が共通チャネル使用か個別チャネル使用かを視覚的に判断でき、更に個別チャネルの場合は、伝送レートも視覚的に判断することができる。
【００２０】
また、上記の目的を達成するため、本発明の通信状態通知方法は、通信ネットワークを介して他の通信端末との間で通信する機能を有する携帯通信端末の通信状態通知方法において、通信中又は通信中以外の状態でのチャネルの情報を、チャネルの遷移時に取得して更新する第１のステップと、第１のステップで取得及び更新したチャネルの情報に応じて、予め定めた点灯又は点滅パターンと表示色との組み合わせにより、取得及び更新したチャネルの情報を通知する第２のステップとを含むことを特徴とする。
【００２１】
この発明では、通信中又は通信中以外の状態でのチャネルの情報を、チャネルの遷移時に取得し、それを予め定めた点灯又は点滅パターンと表示色との組み合わせにより通知するようにしたため、ユーザは点灯又は点滅パターンと表示色との組み合わせにより、現在のチャネルの情報を把握することができる。
【００２２】
また、上記の目的を達成するため、本発明の通信状態通知方法は、上記の第１のステップは、通信中のチャネルの遷移時に、そのチャネルの伝送レートを取得して更新し、上記の第２のステップは、取得及び更新した伝送レートに応じて、予め定めた点灯又は点滅パターンと表示色との組み合わせにより、取得及び更新した伝送レートを通知することを特徴とする。
【００２３】
この発明では、通信中の伝送レートが点灯又は点滅パターンと表示色との組み合わせによりユーザに通知されるため、ユーザは現在通信中の伝送レートを把握することができ、これにより、ユーザに対して、伝送レートが低い環境下にいることを視覚的に判断させることが可能となる。
【００２４】
また、上記の目的を達成するため、本発明の通信状態通知方法は、上記の第２のステップは、着信の有無を点灯又は点滅にて通知する着信通知手段を利用してチャネルの情報又は伝送レートを通知することを特徴とする。
【発明の効果】
【００２５】
本発明によれば、通信中又は通信中以外の状態でのチャネルの情報を、チャネルの遷移時に取得し、それを予め定めた点灯又は点滅パターンと表示色との組み合わせにより通知することにより、ユーザは点灯又は点滅パターンと表示色との組み合わせにより、現在のチャネルの情報を把握することができるようにしたため、ＰＣツールを用意することなく、ユーザに対して、通信中だけでなく通信中以外の状態でも視覚的に現在の通信環境・通信状態を通知できる。
【００２６】
よって、本発明によれば、大容量データのダウンロード時における通信環境・通信状態に基づいて、ユーザは、時間をおいたり、環境を変えてから、データのダウンロードを試みることが可能となるため、通信環境が悪い状態での、無駄な接続を避けることが可能となり、大容量データのダウンロード時の無用なストレスの発生を軽減できる。
【発明を実施するための最良の形態】
【００２７】
次に、本発明の実施の形態について図面と共に説明する。図１は本発明になる携帯通信端末の一実施の形態のブロック図を示す。本実施の形態の携帯通信端末１０は、通信ネットワークを介して他の通信端末と通信する機能を有する携帯通信端末（例えば携帯電話）であり、図１に示すように、ＬＣＤ表示部２０と、制御部３０と、アンテナ４０と、無線部５０と、操作部６０と、ＬＥＤ通知部（着信イルミネーション）７０と、マイクロフォン（マイク）８０と、スピーカ９０とを含む。
【００２８】
制御部３０は、携帯通信端末１０の全体を統括的に制御する中央処理装置（ＣＰＵ）３１と、ＣＰＵ３１の動作プログラムや、操作部６０から入力された、通信状態表示機能オン／オフ情報などを識別して記憶するメモリ３２とを含む。ＬＣＤ表示部２０は、液晶表示素子（ＬＣＤ）で構成された、表示画面の画面表示を行う画面表示手段であり、制御部３０のＣＰＵ３１による表示制御手段によって駆動される。
【００２９】
無線部５０は、アンテナ４０を介して最寄りの無線基地局（図示せず）との間で無線通信する。ここでは、携帯通信端末１０は前述したＣＤＭＡ移動体通信システムで用いられ、無線部５０は、無線基地局との間で共用される共通チャネルか、携帯通信端末１０に個別に割り当てられる個別チャネルを使用して通信する。操作部６０は、ユーザの操作に応じて各種の情報を制御部３０に入力する。
【００３０】
ＬＥＤ通知部７０は、着信の有無を点灯あるいは点滅でユーザに通知するために用いられる発光ダイオード（ＬＥＤ）から構成された既存の通知手段であるが、本実施の形態では、このＬＥＤ通知部７０を、制御部３０が、操作部６０の操作によって通信状態表示機能がオンに設定されたことに応じて、無線部５０より取得した通信状態の情報を通知するためにも用いる。また、制御部３０は、無線部５０より取得する通信状態の情報が更新されるに応じて、ＬＥＤ通知部７０の点灯・点滅のパターンを変更することにより、情報の更新を通知する。なお、ＬＥＤ通知部２０が互いに異なる表示色の複数のＬＥＤからなる構成の場合は、点灯又は点滅するＬＥＤの表示色パターンを、取得した現在の通信状態の情報に応じて変更するようにしてもよい。
【００３１】
マイク８０は、送話音声を音響−電気変換して送話音声信号を生成し、これを制御部３０及び無線部５０を通して公知の方法によりアンテナ４０から相手端末へ送信させる。スピーカ９０はアンテナ４０を介して無線部５０にて受信した受話音声信号が、制御部３０を介して供給され、その受話音声信号を電気−音響変換して受話音声として発音する。マイク８０及びスピーカ９０の動作自体は周知である。
【００３２】
次に、本実施の形態の動作について、図２フローチャートを併せ参照して説明する。制御部３０のＣＰＵ３１は、操作部６０から通信状態表示機能オンが設定されると、図２のフローチャートに従った動作を行う。ただし、図２は全てのチャネル及び、伝送レート情報を網羅しているわけではなく、代表的な状態遷移時のフローチャートである。なお、通信状態表示機能オン（ＯＮ）の設定の際には、ＬＣＤ表示部２０に図３に示した画面が表示され、ＬＥＤ通知部７０におけるイルミネーション点灯パターンも操作部６０から設定可能とされる。
【００３３】
図３において、イルミネーション点灯パターンは、「待ち受け中」、「通話中」、「通信環境  良」、「通信環境  悪」等の説明項目に対応して、点灯・点滅する発光ダイオードの発光色と、点灯又は点滅とを組み合わせたパターンである。なお、説明項目を「チャネル」、「転送レート」とすることも考えられるが、これらはユーザには理解し難いので、図３に示したようなユーザに理解し易い説明項目とすることが望ましい。なお、通信状態表示機能をオフに設定すると、上記の通信状態に応じたＬＥＤ通知部７０に対する点灯・点滅制御を行わないので、消費電力の浪費を避けることができる。
【００３４】
制御部３０のＣＰＵ３１は、操作部６０から通信状態表示機能オンが設定されると、チャネル及び伝送レートが変更されたかどうか判定する（ステップＳ１）。ここで、この実施の形態の携帯通信端末１０は、前述したように、ＣＤＭＡ移動体通信システムで用いられ、パケット通信により、データをダウンロードする際等は、個別チャネル中においても、データ量や、トラヒック量に応じ、通信中に伝送レートが変更される。
【００３５】
この伝送レートは、拡散率（Spreading Factor）により、段階的に上り：６４ｋｂｐｓ／下り：６４ｋｂｐｓ、上り：６４ｋｂｐｓ／下り３８４ｋｂｐｓ等、定まったレートとなっているため、この、拡散率の値が変化する度に、ＬＥＤ通知部７０への、表示色や、点滅のパターンを割り振ることにより、ユーザは、トラヒック量や通信環境の状態を視覚的に判断することが可能となる。
【００３６】
図２のステップＳ１でチャネル及び伝送レートが変更されていないと判定された時は、ＣＰＵ３１は無線部５０よりチャネル及び伝送レートの情報を取得し（ステップＳ２）、再びステップＳ１でチャネル及び伝送レートの変更の有無を判定する。一方、ＣＰＵ３１は、ステップＳ１でチャネル及び伝送レートが変更されたと判定した時は、取得したチャネル情報が報知チャネル、呼出チャネル、共通チャネル、個別チャネルのいずれであるかに応じて、ＬＥＤ通知部７０の点滅パターン及び表示色を制御する。
【００３７】
すなわち、取得したチャネル情報が報知チャネルのときは、ＬＥＤ点滅用変数（Illumination_pattern）の値を報知チャネル用の値（例えば１０等）に設定し（ステップＳ４）、その設定したＬＥＤ点滅用変数に基づいて、ＬＥＤ通知部７０の点滅パターン及び表示色を制御する（ステップＳ１２）。同様に、取得したチャネル情報が呼出チャネルのときは、ＬＥＤ点滅用変数（Illumination_pattern）の値を呼出チャネル用の値（例えば２０等）に設定し（ステップＳ５）、取得したチャネル情報が共通チャネルのときは、ＬＥＤ点滅用変数（Illumination_pattern）の値を共通チャネル用の値（例えば３０等）に設定し（ステップＳ６）、それぞれ、その設定したＬＥＤ点滅用変数に基づいて、ＬＥＤ通知部７０の点滅パターン及び表示色を制御する（ステップＳ１２）。
【００３８】
ただし、ステップＳ３で取得したチャネル情報が個別チャネルのときは、ＬＥＤ点滅用変数（Illumination_pattern）の値を個別チャネル用の値（例えば４０等）に設定した後（ステップＳ７）、取得した伝送レート情報が下り６４ｋｂｐｓ、下り１２８ｋｂｐｓ、下り３８４ｋｂｐｓのいずれであるか判定する（ステップＳ８）。取得した伝送レート情報が下り６４ｋｂｐｓであるときには、ＬＥＤ点滅用変数（Illumination_pattern）の値を下り６４ｋｂｐｓ用の値（例えば４１等）に設定し（ステップＳ９）、その設定したＬＥＤ点滅用変数に基づいて、ＬＥＤ通知部７０の点滅パターン及び表示色を制御する（ステップＳ１２）。
【００３９】
同様に、取得した伝送レート情報が下り１２８ｋｂｐｓであるときには、ＬＥＤ点滅用変数（Illumination_pattern）の値を下り１２８ｋｂｐｓ用の値（例えば４２等）に設定し（ステップＳ１０）、下り３８４ｋｂｐｓであるときには、ＬＥＤ点滅用変数（Illumination_pattern）の値を下り３８４ｋｂｐｓ用の値（例えば４３等）に設定し（ステップＳ１１）、それぞれ、その設定したＬＥＤ点滅用変数に基づいて、ＬＥＤ通知部７０の点滅パターン及び表示色を制御する（ステップＳ１２）。
【００４０】
このように、本実施の形態によれば、チャネル及び、伝送レートの情報は、無線部５０からの割り込み処理により、通信中の状態遷移時に、用意した変数に設定し、通信中の状態が遷移する度に更新し、変数に設定されたパターンに従って、ＬＥＤ通知部７０を構成している、発光色の異なる複数のＬＥＤを選択して、点灯又は点滅させることにより、表示色と点灯又は点滅パターンとの組み合わせにより通信状態通知機能を実現することができる。
【００４１】
また、本実施の形態では、通信中の共通チャネル／個別チャネル時のみではなく、通信中以外の、基地局情報を取得中の状態にある、報知チャネル、待ち受け中の着信待ち状態にある、呼出チャネル等に、状態が遷移する場合にも、着信ＬＥＤの配色や、点灯／点滅パターンを割り振るようにしているため、ユーザにとっては、視覚的にも、配色や点灯／点滅パターンの表示を楽しむことが可能となる。
【００４２】
携帯通信端末のような、場所を変更して、大容量のデータのダウンロードを行うことが可能な端末では、同じ容量のデータをダウンロードする場合においても、通信状態により、伝送レートが高い状態と低い状態とでは、ダウンロード完了までの時間に差が発生するため、伝送レートが低い状態でダウンロードを実施することとなるユーザにとっては、ストレスを感じることとなる。
【００４３】
しかし、本実施の形態によれば、既存のＬＥＤ通知部７０による着信イルミネーション機能を利用し、視覚的に、通信中の状態を明示するようにしいているため、ユーザには、伝送レートが低い環境下にいることを判断することが可能となり、その場合は、ユーザは、時間をおいたり、環境を変えてから、大容量のデータのダウンロードを試みることが可能となるため、通信環境が悪い状態での、無駄な接続を避けることが可能となり、上記のストレスを感じないで済む。
【００４４】
なお、本発明は上記の実施の形態に限定されるものではなく、例えば、通信携帯端末は携帯電話機以外の簡易型携帯電話機（ＰＨＳ）、携帯型情報機器などにも適用可能である。また、本発明は、上記の図２の動作をＣＰＵ３１により実行させるコンピュータプログラムも包含するものである。
【００４５】
また、上記の実施の形態では、既存の着信報知用のＬＥＤ通知部７０を利用して通信状態などを配色と点灯／点滅パターンとの組み合わせで通知するように説明したが、本発明はこれに限定されるものではなく、例えば、ＬＣＤ表示部２０の画面上の電池マーク、アンテナピクトが表示される画面上端の欄（領域）を使用し、チャネルが遷移される毎に上端の欄の色を変更するなどの方法でも通知が可能である。
【図面の簡単な説明】
【００４６】
【図１】本発明の携帯通信端末の一実施の形態のブロック図である。
【図２】図１の動作説明用フローチャートである。
【図３】本発明により通信状態表示のオン設定時の画面例を示す図である。
【符号の説明】
【００４７】
１０  携帯通信端末
２０  ＬＣＤ表示部
３０  制御部
３１  ＣＰＵ（中央処理装置）
３２  メモリ
４０  アンテナ
５０  無線部
６０  操作部
７０  ＬＥＤ通知部
８０  マイク
９０  スピーカ
【図１】
2006295383.tif 000003
【図２】
2006295383.tif 000004
【図３】
2006295383.tif 000005